(57)【要約】【課題】この発明は、チャンネル変更を行った場合に、映像が出力されるまでの時間を短縮化できるデジタルテレビ放送受信機を提供することを目的とする。【解決手段】受信した映像データを復号する映像復号手段、受信した音声データを復号する音声復号手段、基準時間情報に基づいて基準時間情報に同期した受信側時刻情報を生成する手段、音声データの再生時刻情報と受信側時刻情報とが一致したときに、音声データを出力させる手段および映像データの再生時刻情報と受信側時刻情報とが一致したときに、映像データを出力させる手段を備えているデジタルテレビ放送受信機において、チャンネルが切り替えられたときには、チャンネル切替後に最初に受信した映像データについては、その再生時刻情報にかかわらず、その映像データを直ちに出力させる手段を備えている。【選択図】  図１
2005012310.tif 000002
【特許請求の範囲】
【請求項１】
再生時刻情報を含む映像データ、再生時刻情報を含む音声データおよび基準時間情報を含むデータを受信する手段、受信した映像データを復号する映像復号手段、受信した音声データを復号する音声復号手段、基準時間情報に基づいて基準時間情報に同期した受信側時刻情報を生成する手段、音声データの再生時刻情報と受信側時刻情報とが一致したときに、音声データを出力させる手段および映像データの再生時刻情報と受信側時刻情報とが一致したときに、映像データを出力させる手段を備えているデジタルテレビ放送受信機において、
チャンネルが切り替えられたときには、チャンネル切替後に最初に受信した映像データについては、その再生時刻情報にかかわらず、その映像データを直ちに出力させる手段を備えていることを特徴とするデジタルテレビ放送受信機。
【発明の詳細な説明】
【０００１】
【発明の属する技術分野】
この発明は、デジタルテレビ放送受信機に関する。
【０００２】
【従来の技術】
デジタルテレビ放送では、音声データと映像データとは非同期で送られてくることが知られている。デジタルテレビ放送受信機においては、パケット内のタイムスタンプ（ＰＴＳ）により、映像と音声との同期をとるようにしている。チャンネルを変更した場合には、映像データを音声データよりも早く受信しても、映像と音声との同期を取るために、受信した映像データに対応するタイムスタンプの時刻になるまで映像出力を止めている。このため、チャンネルを変更した場合に、映像が出力されるまでの時間が長くなるという問題がある。
【０００３】
【特許文献】特開２００２−３１４８９１号公報
【０００４】
【発明が解決しようとする課題】
この発明は、チャンネル変更を行った場合に、映像が出力されるまでの時間を短縮化できるデジタルテレビ放送受信機を提供することを目的とする。
【０００５】
【課題を解決するための手段】
この発明は、再生時刻情報を含む映像データ、再生時刻情報を含む音声データおよび基準時間情報を含むデータを受信する手段、受信した映像データを復号する映像復号手段、受信した音声データを復号する音声復号手段、基準時間情報に基づいて基準時間情報に同期した受信側時刻情報を生成する手段、音声データの再生時刻情報と受信側時刻情報とが一致したときに、音声データを出力させる手段および映像データの再生時刻情報と受信側時刻情報とが一致したときに、映像データを出力させる手段を備えているデジタルテレビ放送受信機において、チャンネルが切り替えられたときには、チャンネル切替後に最初に受信した映像データについては、その再生時刻情報にかかわらず、その映像データを直ちに出力させる手段を備えていることを特徴とする。
【０００６】
【発明の実施の形態】
以下、図面を参照して、この発明の実施の形態について説明する。
【０００７】
図１は、デジタルテレビ放送受信機の構成を示している。
【０００８】
デジタルテレビ放送波は、図示しないアンテナおよびチューナ１を介して復調回路２に送られ、復調が行われる。復調回路２の出力はＤｅｍｕｘ回路３に送られる。
【０００９】
Ｄｅｍｕｘ回路３は、パケットの復号を行い、パケットから、基準時間情報ＰＣＲ  （Ｐｒｏｇｒａｍ  Ｃｌｏｃｋ  Ｒｅｆｅｒｅｎｃｅ）、映像データおよびその再生時刻情報ＰＴＳ−Ｖ  、音声データおよびその再生時刻情報ＰＴＳ−Ａ  等を抽出する。
【００１０】
映像データは、映像出力回路４内のバッファに蓄積される。また、音声データは音声出力回路５内のバッファに蓄積される。基準時間情報ＰＣＲ  は、ＰＬＬ６に送られる。コントローラ１０は、ＰＬＬ６を監視して、基準時間情報ＰＣＲ  に同期した受信側時刻情報を生成する。
【００１１】
映像出力回路４に送られた映像データの再生時刻情報ＰＴＳ−Ｖ  および音声出力回路５に送られた音声データの再生時刻情報ＰＴＳ−Ａ  は、コントローラ１０に送られる。
【００１２】
コントローラ１０は、音声出力回路５に送られた音声データの再生時刻情報ＰＴＳ−Ａ  に受信側時刻情報が一致したときに、音声出力回路５に当該再生時刻情報ＰＴＳ−Ａ  を有する音声データを出力させるための指示（出力指示）を送る。音声出力回路５は、出力指示を受信すると、バッファに記憶されている当該再生時刻情報ＰＴＳ−Ａ  を有する音声データを出力させる。つまり、音声データの出力制御処理は従来通りである。
【００１３】
コントローラ１０は、原則的には、映像出力回路４に送られた映像データの再生時刻情報ＰＴＳ−Ｖ  に受信側時刻情報が一致したときに、映像出力回路４に当該再生時刻情報ＰＴＳ−Ｖ  を有する映像データを出力させるための指示（出力指示）を送る。映像出力回路４は、出力指示を受信すると、バッファに記憶されている当該再生時刻情報ＰＴＳ−Ｖ  を有する映像データを出力させる。
【００１４】
ただし、チャンネルが切り替えられたときにおいては、コントローラ１０は、チャンネル切り替え後に最初に映像出力回路４に送られた映像データについては、その映像データの再生時刻情報ＰＴＳ−Ｖ  に関係なく、直ちに出力させる。この点において、映像データの出力制御処理は従来と異なっている。
【００１５】
図２は、チャンネルが切り替えられたときの映像データの出力制御処理手順を示している。
【００１６】
チャンネルが切り替えられると（ステップ１）、初回出力フラグＦをリセット（Ｆ＝０）にする（ステップ２）。
【００１７】
次に、Ｄｅｍｕｘ回路３による１つのＰＳパケットに対する復号が完了したか否かを判別する（ステップ３）。
【００１８】
復号によって映像データが抽出されたか否か（ＰＳパケットに映像データが含まれていたか否か）を判別する（ステップ４）。復号によって映像データが抽出されなかった場合には、ステップ３に戻る。復号によって映像データが抽出されてた場合には、初回出力フラグＦがリセット（Ｆ＝０）されているかセット（Ｆ＝１）されているかを判別する（ステップ５）。
【００１９】
初回出力フラグＦがリセット（Ｆ＝０）されている場合には、復号によって抽出された映像データは、チャンネルが切り替えられた後に最初に受信した映像データであると判別し、初回出力フラグＦをセットした後（ステップ６）、その映像データを直ちに出力させるための映像出力指令を映像出力回路４に出力する（ステップ９）。そして、ステップ３に戻る。
【００２０】
上記ステップ５において、初回出力フラグＦがセット（Ｆ＝１）されていない場合には、復号によって抽出された映像データは、チャンネルが切り替えられた後において２回目以降に受信された映像データであると判別し、その映像データの再生時刻情報ＰＴＳ−Ｖ  を取得する（ステップ７）。そして、取得した再生時刻情報ＰＴＳ−Ｖ  に受信時間情報が一致すると（ステップ８）、その映像データを出力させるための映像出力指令を映像出力回路４に出力する（ステップ９）。そして、ステップ３に戻る。
【００２１】
【発明の効果】
この発明によれば、チャンネル変更を行った場合に、映像が出力されるまでの時間を短縮化できるようになる。
【図面の簡単な説明】
【図１】デジタルテレビ放送受信機の構成を示すブロック図である。
【図２】チャンネルが切り替えられたときの映像データの出力制御処理手順を示すふろーチャートである。
【符号の説明】
１  チューナ
２  復調回路
３  Ｄｅｍｕｘ回路
４  映像出力回路
５  音声出力回路
６  タイマ
１０  コントローラ
【図１】
2005012310.tif 000003
【図２】
2005012310.tif 000004